(57)【特許請求の範囲】
【請求項１】
第１の錠が設けられた扉の近くに配設され、第１の信号を受信すると第２の信号を送信し、前記第１の錠を解錠する錠制御部を備えた扉制御装置と、
前記第１の信号を送信した後、前記第２の信号を受信すると、前記第１の錠が解錠されている旨を報知する第１の報知動作を行う携帯制御部を備えた携帯端末装置と
を備え、
前記扉制御装置は、
前記第１の錠が解錠されてから第１の時間を計時する第１のタイマと、
前記扉の開閉状態および前記扉に設けられた第２の錠の施錠状態を検出する状態検出部と
をさらに備え、
前記錠制御部は、前記第１の所定の時間が経過すると、前記第１の錠を施錠し、
前記第２の信号は、前記扉の開閉状態および前記第２の錠の施錠状態を示す情報を含み、
前記携帯制御部は、前記第２の信号に基づいて、前記扉が開状態で前記第２の錠が解錠状態であることを検出すると、前記扉が開状態で前記第２の錠が解錠されている旨を示す第２の報知動作を行い、
前記第２の錠は、前記第１の錠と独立して施解錠される機械的な錠からなり、
前記扉制御装置および前記携帯制御部は、ネットワークを介さずに、前記第１の信号および第２の信号の送信または受信を行う
ことを特徴とする施錠管理システム。
【請求項２】
前記携帯制御部は、前記第２の報知動作中に受信した前記第２の信号から、前記扉が閉状態で前記第２の錠が施錠状態であることを検出すると、前記第２の報知動作を終了する
ことを特徴とすることを特徴とする請求項１記載の施錠管理システム。
【請求項３】
前記携帯端末装置は、前記第２の報知動作が開始されると、第２の所定時間を計時する第２のタイマをさらに備え、
前記携帯制御部は、前記第２の所定時間が経過すると、前記第２の報知動作を終了する
ことを特徴とする請求項１記載の施錠管理システム。
【請求項４】
前記携帯制御部は、前記第２の報知動作中に受信した前記第２の信号から前記扉が閉状態で前記第２の錠が施錠状態であることを検出する前に、前記第２の所定時間が経過すると、前記第２の報知動作を終了する
ことを特徴とする請求項３記載の施錠管理システム。
【請求項５】
前記携帯端末装置は、前記第２の報知動作が終了すると、前記扉が施錠されている旨を記憶する記憶部をさらに備える
ことを特徴とする請求項２記載の施錠管理システム。
【請求項６】
前記携帯端末装置は、前記第２の報知動作が終了すると、前記扉が施錠されていない旨を記憶する記憶部をさらに備える
ことを特徴とする請求項３または４記載の施錠管理システム。
【請求項７】
前記携帯端末装置は、前記記憶部に記憶された情報を表示する表示部をさらに備える
ことを特徴とする請求項５または６記載の施錠管理システム。
【請求項８】
第１の錠が設けられた扉の近くに配設され、第１の信号を受信すると第２の信号を送信し、前記第１の錠を解錠する錠制御部を備えた扉制御装置と、
前記第１の信号を送信した後、前記第２の信号を受信すると、前記第１の錠が解錠されている旨を報知する第１の報知動作を行う携帯制御部を備えた携帯端末装置と、
前記扉制御装置が、前記第１の錠が解錠されてから第１の時間を計時するステップと、
前記扉制御装置が、前記第１の所定の時間が経過すると、前記第１の錠を施錠するステップと、
前記扉制御装置が、前記扉の開閉状態および前記扉に設けられた第２の錠の施錠状態を検出するステップと、
前記携帯端末装置が、前記扉の開閉状態および前記第２の錠の施錠状態を示す情報を含む前記第２の信号に基づいて、前記扉が開状態で前記第２の錠が解錠状態であることを検出すると、前記扉が開状態で前記第２の錠が解錠されている旨を示す第２の報知動作を行うステップと
を有し、
前記第２の錠は、前記第１の錠と独立して施解錠される機械的な錠からなり、
前記扉制御装置および前記携帯端末装置は、ネットワークを介さずに、前記第１の信号および第２の信号の送信または受信を行う
ことを特徴とする施錠管理方法。
【発明の詳細な説明】
【技術分野】
【０００１】
本発明は、扉の施錠を管理する施錠管理システムに関するものである。
【背景技術】
【０００２】
外出する際の自宅の施錠は、日常の一連の動作であるが故に、施錠したにもかかわらず施錠の記憶が曖昧となり、外出先で施錠したか否かが気になることがよくある。そこで、近年では、外出先で施錠の確認をできる技術が提案されている（例えば、特許文献１参照。）。
【０００３】
例えば、特許文献１には、施錠検知装置と、携帯端末とがネットワークにより接続されたセキュリティシステムが開示されている。この技術によれば、施錠検知装置により施錠されていないことが検知されると、その情報がネットワークを介して携帯電話機に送信される。これにより、ユーザは、携帯電話機に送信された情報に基づいて施錠されているか否かを確認することができる。
【先行技術文献】
【特許文献】
【０００４】
【特許文献１】特開２００８−３０５３４４号公報
【発明の概要】
【発明が解決しようとする課題】
【０００５】
しかしながら、上述した技術では、携帯電話機を所持し忘れてしまうと、施錠されているか否かを確認することができなくなってしまう。
【０００６】
近年、携帯電話機は、通話や電子メールといったコミュニケーション機能のみならず、テレビを見たり、ゲームをしたり、ウェブサイトを閲覧したりするなどのエンターテイメント機能や電子マネーや定期券などの生活アプリケーション機能も備えており、人によっては日常生活に必要不可欠なものとなっている。このため、携帯電話機を自宅に置き忘れて外出してしまうと、例えば、友人と連絡が取れなかったり、乗り換えを検索するためのウェブサイトが利用できないために待ち合わせに遅れたり、電車に乗れなかったりするなど、日常生活に支障をきたすこととなる。このため、自宅の施錠とともに携帯電話機の所持忘れも防止することができる技術が望まれていた。
【０００７】
そこで、本発明は、施錠状態の確認とともに携帯電話機の所持忘れを防止することができる施錠管理システムおよび施錠管理方法を提供することを目的とする。
【課題を解決するための手段】
【０００８】
上述したような課題を解決するために、本発明に係る施錠管理システムは、第１の錠が設けられた扉の近くに配設され、第１の信号を受信すると第２の信号を送信し、第１の錠を解錠する錠制御部を備えた扉制御装置と、第１の信号を送信した後、第２の信号を受信すると、第１の錠が解錠されている旨を報知する報知動作を行う携帯制御部を備えた携帯端末装置とを備えたことを特徴とするものである。
【０００９】
また、本発明に係る施錠管理方法は、携帯端末装置が、第１の信号を送信するステップと、扉の近くに配設された扉制御装置が、第１の信号を受信すると、この第１の信号に対して第２の信号を送信し、扉に設けられた錠を解錠するステップと、携帯端末装置が、第２の信号を受信すると、錠を解錠されている旨を報知する報知動作を行うステップとを有することを特徴とするものである。
【発明の効果】
【００１０】
本発明によれば、扉の近くに配設された扉制御装置が携帯端末装置から第１の信号を受信すると第２の信号を送信して第１の錠を解錠し、携帯端末装置がその第２の信号を受信すると報知動作を行うので、携帯端末装置を所持し忘れて扉に向かうと扉が開かなくなるので携帯端末装置の所持忘れを防止することができ、かつ、第１の錠が解錠されると報知動作が行われるので扉の施錠状態を確認することができる。
【図面の簡単な説明】
【００１１】
【図１】本発明の第１の実施の形態に係る施錠管理システムの構成を示す図である。
【図２】本発明の第２の実施の形態に係る施錠管理システムの構成を示す図である。
【図３】本発明の第２の実施の形態に係る施錠管理システムにおける扉制御装置の動作を示すフローチャートである。
【図４】本発明の第２の実施の形態に係る施錠管理システムにおける携帯電話機の動作を示すフローチャートである。
【発明を実施するための形態】
【００１２】
以下、図面を参照して、本発明の実施の形態について詳細に説明する。
【００１３】
［第１の実施の形態］
まず、本発明に係る第１の実施の形態について説明する。
【００１４】
図１に示すように、本実施の形態に係る施錠管理システムは、扉制御装置１と、この扉制御装置１と電話網を介さない無線通信により各種情報の送受信を行う携帯端末装置２と備えている。
【００１５】
扉制御装置１は、玄関に設けられた扉３の近傍に配置され、扉３に設けられた錠３１の施錠および解錠を制御する錠制御部１１を備えている。
【００１６】
携帯端末装置２は、例えば、通話機能、メーラー機能、ブラウザ機能、カメラ機能等を備えた、携帯電話機、ＰＤＡ（Personal Digital Assistant）、タブレットＰＣ、ネットＰＣなどの公知の携帯端末装置から構成され、携帯端末装置２の各種機能を実現する携帯制御部２１を備えている。
【００１７】
このような施錠管理システムにおいて、携帯端末装置２のユーザが外出しようとする場合、通常、ユーザは携帯端末装置２を所持して玄関に移動する。このとき、携帯端末装置２は、無線により第１の信号を送信する。
【００１８】
携帯端末装置２を所持するユーザが玄関に近づくと、扉３の近傍に配設された扉制御装置１は、第１の信号を受信する。すると、錠制御部１１は、第２の信号を送信し、扉３の錠３１を解錠する。
【００１９】
第２の信号を受信すると、携帯端末装置２の携帯制御部２１は、扉３が解錠されている旨をユーザに認識させるために、例えば、メロディを鳴動させる、バイブレータを駆動する、所定の表示をする等の報知動作を行う。
【００２０】
一方、携帯端末装置２のユーザが、携帯端末装置２を所持せずに玄関に移動すると、扉制御装置１は、第１の信号を受信しないので、扉３の錠３１を解錠しない。これにより、ユーザは、扉を開けようとしても開かないので、携帯端末装置２を所持し忘れたことを認識することができる。
【００２１】
このように、本実施の形態によれば、扉３の近くに配設された扉制御装置１が携帯端末装置２から第１の信号を受信すると第２の信号を送信して錠３１を解錠し、携帯端末装置２がその第２の信号を受信すると報知動作を行うので、携帯端末装置２を所持し忘れて扉３に向かうと扉３が開かなくなるので携帯端末装置２の所持忘れを防止することができ、かつ、錠３１が解錠されると報知動作が行われるので扉３の施錠状態を確認することができる。
【００２２】
［第２の実施の形態］
次に、本発明に係る第２の実施の形態について説明する。
【００２３】
＜施錠管理システムの構成＞
図２に示すように、本実施の形態に係る施錠管理システムは、ビル、マンション、戸建てなどの家屋の玄関等に設けられた扉３００の近くに配設された扉制御装置１００と、携帯電話機２００とを備えている。
【００２４】
≪扉制御装置の構成≫  
扉制御装置１００は、扉３００の解錠および施錠を制御するものであって、携帯電話機２００と通信を行う無線通信部１０１と、扉３００に設けられた第１錠３０１の解錠および施錠を制御する第１錠制御部１０２と、扉３００に設けられた第２錠３０２の解錠および施錠の状態を検出する第２錠制御部１０３と、扉３００の開閉状態を検出する開閉検出部１０４と、所定の時間を計時するタイマ１０５と、扉制御装置１００の動作に必要な各種情報を記憶する記憶部１０６と、扉制御装置１００全体の動作を制御する制御部１０７とを備えている。
【００２５】
ここで、無線通信部１０１は、Ｂｌｕｅｔｏｏｔｈ（登録商標）やＩｒＤＡ（登録商標）などの電話網を介さない無線通信技術を用いて携帯電話機２００と情報の送受信を行う。
【００２６】
第１錠制御部１０２は、制御部１０７の指示に基づいて、第１錠３０１の施錠および解錠を制御する。ここで、第１錠３０１は、例えば、サムターンを備えた錠などの公知の錠から構成されている。第１錠３０１がサムターンを備えている場合、第１錠制御部１０２は、そのサムターンを回動させるモータ等を備え、このモータを所定の方向に回動させることにより第１錠３０１の施錠および解錠を行う。なお、第１錠３０１は、例えば通常の鍵によっても解錠することができるものからなる。これにより、携帯電話機２００を所持し忘れた場合であっても、ユーザは、第１錠３０１を解錠することができる。
【００２７】
第２錠制御部１０３は、制御部１０７の指示に基づいて、第２錠の状態、すなわち施錠されているかまたは解錠されているかを検出する。ここで、第２錠３０２は、例えば、サムターンを備えた錠などの公知の錠から構成されている。第２錠３０２がサムターンを備えている場合、第２錠制御部１０３は、そのサムターンの回動を検出するセンサ等を備え、このセンサによってサムターンの回動状態を検出することにより、第２錠３０２の施錠または解錠を検出する。
【００２８】
開閉検出部１０４は、制御部１０７の指示に基づいて扉３００の開閉状態を検出するものである。このような開閉検出部１０４は、例えば、磁石等を利用した非接触式のスイッチや機械的な構成を有する接触式のスイッチなど、公知の開閉検出スイッチから構成される。
【００２９】
タイマ１０５は、制御部１０７の指示に基づいて所定の時間を計時するものである。
【００３０】
記憶部１０６は、扉制御装置１００が制御する扉３００の識別情報、扉制御装置１００が制御する扉３００と対応付けられた携帯電話機２００の識別情報、扉制御装置１００の動作プログラム、扉制御装置１００の動作に必要な各種情報などを予め記憶するものである。また、記憶部１０６には、第２錠制御部１０３により検出された第２錠３０２の施錠状態および開閉検出部１０４により検出された扉３００の開閉状態に関する情報（以下、「ステータス」という）も記憶される。このような記憶部１０６は、メモリやハードディスクなどの記憶装置から構成される。なお、記憶部１０６に記憶されるプログラムや各種情報は、ＤＶＤ（Digital Versatile Disk）やＣＤ（Compact Disk）等の記録媒体やネットワークを介して記憶部１０６に格納するようにしてもよい。
【００３１】
制御部１０７は、ＣＰＵなどのマイクロプロセッサとその周辺回路からなり、制御メモリに記憶された動作プログラムを読み込んで実行することにより、扉制御装置１００の各動作を実現する。
【００３２】
≪携帯電話機の構成≫  
携帯電話機２００は、扉制御装置１００と通信を行う無線通信部２０１と、各種情報を表示するディスプレイ２０２と、対応付けれた扉３００の施錠管理を行う施錠管理アプリケーション２０３と、施錠管理アプリケーション２０３などを携帯電話機２００の各種アプリケーションを展開するメモリ２０４と、所定の時間を計時するタイマ２０５と、音声を出力するスピーカ２０６と、振動するバイブレータ２０７と、位置情報取得部２０８と、記憶部２０９と、制御部２１０とを備えている。
【００３３】
無線通信部２０１は、Ｂｌｕｅｔｏｏｔｈ（登録商標）やＩｒＤＡ（登録商標）などの電話網を介さない無線通信技術を用いて扉制御装置１００と情報の送受信を行う。
【００３４】
ディスプレイ２０２は、制御部２１０の指示に基づいて各種情報を表示するものである。このようなディスプレイ２０２は、ＬＣＤ（Liquid Crystal Display）、有機ＥＬ（Electro Luminescence）など、公知の表示装置から構成される。
【００３５】
施錠管理アプリケーション２０３は、携帯電話機２００と対応付けられた扉３００が施錠されているか否かに関する情報を、ディスプレイ２０２に表示したりスピーカ２０６から出力したりすることによりユーザに伝える機能を実現するためのソフトウェアである。このような施錠管理アプリケーション２０３は、メモリ２０４に展開され、制御部２１０により読み込まれて実行されることにより、その機能が実現される。
【００３６】
メモリ２０４は、公知のメモリ装置からなり、施錠管理アプリケーション２０３や記憶部２０９に記憶された各種ソフトウェアを展開するものである。このメモリ２０４に展開されたソフトウェアを制御部２１０が読み込んで実行することにより、そのソフトウェアに対応する各種機能が実現される。
【００３７】
タイマ２０５は、制御部２１０の指示に基づいて所定の時間を計時するものである。
【００３８】
スピーカ２０６は、制御部２１０の指示に基づいて所定の音声を出力するものであり、公知のスピーカ装置から構成される。
【００３９】
バイブレータ２０７は、制御部２１０の指示に基づいて振動するものであり、公知のバイブレーション装置から構成される。
【００４０】
位置情報取得部２０８は、携帯電話機２００の位置に関する情報を検出するものである。このような位置情報取得部２０８は、例えば、ＧＰＳ（Global Positioning System）装置や携帯電話機の基地局を用いた位置検出装置など、公知の位置検出装置から構成される。
【００４１】
記憶部２０９は、携帯電話機２００の識別情報、携帯電話機２００と対応付けられた扉３００の識別情報や位置情報、携帯電話機２００の動作プログラム、携帯電話機２００の動作に必要な各種情報などを予め記憶するものである。また、記憶部２０９には、その扉３００を施錠した日時に関する情報も記憶される。このような記憶部２０９は、メモリやハードディスクなどの記憶装置から構成される。
【００４２】
制御部２１０は、ＣＰＵなどのマイクロプロセッサとその周辺回路からなり、メモリ２０４に記憶された動作プログラムを読み込んで実行することにより、通話機能、メーラー機能、ブラウザ機能、カメラ機能等の携帯電話機２００の各動作を実現する。
【００４３】
＜施錠管理システムの動作＞
次に、本実施の形態に係る施錠管理システムの動作について説明する。
【００４４】
≪動作の概要≫
まず、本実施の形態に係る施錠管理システムの動作の概要について説明する。本実施の形態に係る施錠管理システムでは、携帯電話機２００の所持忘れとともに、扉３００の施錠忘れを防止することができる。
【００４５】
携帯電話機２００の所持忘れの防止については、ユーザが携帯電話機２００を所持して玄関に向かうと、玄関において携帯電話機２００から所定の信号（以下、「ＢＴ信号」という）が送信される。このＢＴ信号を受信すると、扉制御装置１００は、携帯電話機２００が接近したことを認識して、第１錠３０１を解錠する。ユーザは、第２錠３０２が施錠中であれば第２錠３０２を解錠して、ドアノブを回して扉３００を開ける。このとき、扉制御装置１００は、ステータスとして扉３００が開状態であることを記憶しており、携帯電話機２００からの再度のＢＴ信号の受信に対して、そのステータスを送信する。これにより、扉３００が開状態であることを確認すると、携帯電話機２００は、例えばメロディが流れる、振動する、ディスプレイが光るといった所持サインを発動する。この所持サインにより、ユーザは、携帯電話機２００を所持していることを認識することができる。もし、携帯電話機２００を所持せずに玄関に向かったときには、扉３００の第１錠３０１が解除されないので、ユーザは、第２錠３０２を解錠してドアノブを回しても、扉３００が開かないので、携帯電話機２００を所持していないことに気がつくこととなる。
【００４６】
扉３００の施錠忘れ防止については、携帯電話機２００を所持したユーザが、玄関の扉３００の第２錠３０２を解錠してドアノブを回すことにより扉３００が開状態になると、携帯電話機２００は、上述したように、メロディが流れる、震えはじめるなどの所持サインを発動する。この後、外出するために扉３００から出て扉を閉めると、ユーザは、扉３００の外側から一般的な鍵を第２錠３０２の鍵穴に差し込んで回して、第２錠３０２を施錠する。扉制御装置１００は、第２錠３０２が施錠されたことを確認すると、これをステータスとして記憶する。携帯電話機２００は、再度扉制御装置１００に対してＢＴ信号を送信し、この送信に対してそのステータスを受信することにより、扉３００が施錠されていることを確認したのち、所持サインを停止する。この所持サインを停止することにより、ユーザは、ドアが施錠されたことを確認することができる。また、施錠管理アプリケーション２０３により、例えば、「○月△日×時□□分施錠しました」という表示をディスプレイ２０２に表示させることにより、施錠されたことを確認することができる。一方、施錠されなかった場合には、所持サインモードにおける所定時間の間だけ所持サインが継続して行われるので、施錠忘れを確認することができる。また、その所定時間の経過後、施錠管理アプリケーション２０３が自動的に起動され、例えば、「○月△日×時□□分施錠忘れです。」という警告メッセージがディスプレイ２０２に表示されるので、このメッセージによっても施錠忘れを確認できる。なお、意図的に施錠しない場合、ユーザは、所持サインを能動的に停止することができる。この場合、施錠管理アプリケーション２０３では、例えば、「○月△日×時□□分施錠していません。」というメッセージをディスプレイ２０３に表示するので、このメッセージによって施錠していないことを確認することができる。扉制御装置１００または携帯電話機２００が、停電、故障などの電気的トラブルにより、上述したような扉３００の施錠や解錠の確認ができない場合であっても、第１錠３０１および第２錠３０２の何れも一般的な鍵穴とサムターンで構築されているので、それらの施錠および解錠を行うことができる。
【００４７】
なお、上述した所持忘れ防止動作および施錠忘れ防止動作は、帰宅時においても行うようにしてもよいし、行わないようにしてもよい。
【００４８】
帰宅時にも所持忘れ防止動作を行う場合、ユーザが携帯電話機２００を所持して外出先から扉３００に向かうと、携帯電話機２００は、その扉３００近傍においてＢＴ信号を送信する。このＢＴ信号を受信すると、扉制御装置１００は、携帯電話機２００が接近したことを認識して、第１錠３０１を解錠する。ユーザは、扉３００の外側から一般的な鍵を第２錠３０２の鍵穴に差し込んで回して第２錠３０２を解錠する。これにより、第１錠３０１および第２錠３０２が解錠されることになるので、ユーザは、扉３００のドアノブを回すと、扉３００が開くことになり、家屋に入ることができる。
【００４９】
また、帰宅時にも施錠忘れ防止動作を行う場合、帰宅したユーザが玄関の扉３００の第２錠３０２を解錠してドアノブを回すことにより扉３００が開状態になると、携帯電話機２００は、メロディが流れる、震えはじめるなどの所持サインを発動する。この後、屋内に入って扉３００を閉めると、ユーザは、扉３００の内側から第２錠３０２のサムターン回して、第２錠３０２を施錠する。扉制御装置１００は、第２錠３０２が施錠されたことを確認すると、これをステータスとして記憶する。携帯電話機２００は、再度扉制御装置１００に対してＢＴ信号を送信し、この送信に対してそのステータスを受信することにより、扉３００が施錠されていることを確認したのち、所持サインを停止する。この所持サインを停止することにより、ユーザは、ドアが施錠されたことを確認することができる。
【００５０】
一方、帰宅時に所持忘れ防止動作や施錠忘れ防止動作を行わない場合、帰宅したユーザは、扉３００の外側から第１錠３０１および第２錠３０２の鍵穴にそれぞれに対応する一般的な鍵を差し込んで回すことにより、第１錠３０１および第２錠３０２を解錠して扉３００を開ける。
【００５１】
≪扉制御装置の動作≫
次に、本実施の形態に係る施錠管理システムの各構成要素の動作について詳細に説明する。
まず、図３を参照して、扉制御装置１００の動作について説明する。
【００５２】
まず、扉制御装置１００の制御部１０７は、携帯電話機２００からのＢＴ信号を受信するのを待機している初期状態にあるとき（ステップＳ１）、タイマ１０５による所定の時間の計時が終了しているか否かを確認する（ステップＳ２）。この所定時間（以下、「第１錠所定時間」という）は、例えば５分など、ユーザが扉３００の第２錠３０２を解錠し、扉３００を開け、扉３００の外に出て、扉３００を閉め、扉３００の第２錠３０２を施錠する等の扉３００から出るまでの一連の動作に要する時間よりも長く設定される。なお、後述するように、その第１錠所定時間は、携帯電話機２００のタイマ２０５により計時される、自宅モードの所定時間と所持サインモードの所定時間とを加算した時間よりも長く設定される。
【００５３】
第１錠所定時間を経過している場合（ステップＳ２：ＹＥＳ）、制御部１０７は、第１錠制御部１０２により第１錠３０１を施錠する（ステップＳ３）。これにより、扉３００の第１錠３０１は、ユーザが携帯電話機を所持した状態で近づかない限り、施錠されていることとなる。
【００５４】
第１錠所定時間を経過していない場合（ステップＳ２：ＮＯ）、または、第１錠３０１が施錠されると、制御部１０７は、第２錠制御部１０３および開閉検出部１０４によりステータスを確認する（ステップＳ４）。具体的には、第２錠制御部１０３は、第２錠３０２の施錠が施錠されているか、または、解錠されているかを検出する。また、開閉検出部１０４は、扉３００が開状態または閉状態の何れの状態にあるのかを検出する。この第２錠３０２および扉３００の状態に関する情報、すなわちステータスは、記憶部１０６に記憶される。
【００５５】
ステータスが確認されると、制御部１０７は、無線通信部１０１が携帯電話機２００からのＢＴ信号を受信したか否かを確認する（ステップＳ５）。このＢＴ信号は、携帯電話機２００の存在を扉制御装置１００に通知するための信号であって、少なくとも携帯電話機２００の識別情報を含むものである。
【００５６】
ＢＴ信号を受信しない場合（ステップＳ５：ＮＯ）、制御部１０７は、ステップＳ２の処理に戻る。
【００５７】
一方、例えば、ユーザが携帯電話機を所持して扉３００に近づくことにより、ＢＴ信号を受信した場合（ステップＳ５：ＹＥＳ）、制御部１０７は、そのＢＴ信号を送信した携帯電話機が、扉制御装置１００が制御する扉３００と対応付けられた携帯電話機であるか否かを確認する（ステップＳ６）。この確認は、受信したＢＴ信号に含まれる送信元の携帯電話機の識別情報と、記憶部１０６に記憶された携帯電話機の識別情報とを比較することにより行われる。
【００５８】
受信したＢＴ信号が登録された携帯電話機からのものではない場合（ステップＳ６：ＮＯ）、制御部１０７は、ステップＳ２の処理に戻る。
【００５９】
一方、受信したＢＴ信号が登録された携帯電話機２００からのものである場合（ステップＳ６：ＹＥＳ）、制御部１０７は、記憶部１０６に記憶されたステータスを、無線通信部１０１を介して携帯電話機２００に送信する（ステップＳ７）。
【００６０】
ステータスを送信すると、制御部１０７は、第１錠制御部１０２により第１錠３０１を解錠する（ステップＳ８）。これにより、ユーザが携帯電話機２００を所持した状態で扉３００に近づくと、扉３００の第１錠３０１が解錠されることとなる。
【００６１】
第１錠３０１を解錠すると、制御部１０７は、タイマ１０５により第１錠所定時間の計時をリセットするとともに、新たに第１錠所定時間の計時をスタートする（ステップＳ９）。
【００６２】
このように、本実施の形態によれば、扉制御装置１００が管理する扉３００と対応付けられた携帯電話機２００がその扉３００に近づくと第１錠３０１が解錠され、携帯電話機２００を所持せずにその扉３００に近づいても第１錠３０１が解錠されないので、携帯電話機２００を所持せずに外出するのを防ぐことができる。
【００６３】
≪携帯電話機の動作≫
次に、図４を参照して、携帯電話機２００の動作について説明する。
【００６４】
まず、携帯電話機２００の制御部２１０は、扉制御装置１００からステータスを受信していない初期状態にあるとき（ステップＳ１１）、位置情報取得部２０８により携帯電話機２００の位置を検出する（ステップＳ１２）。
【００６５】
携帯電話機２００の位置を検出すると、制御部２１０は、その位置が携帯電話機２００と対応付けられた扉３００の近くであるか否かを確認する（ステップＳ１３）。この確認は、位置情報所得部２０８により取得された携帯電話機２００の現在位置に関する情報と、記憶部２０９に記憶された扉３００の位置に関する情報とを比較することにより行われる。なお、扉３００に近いか否かを判断するためのしきい値は、ユーザの生活様式等に応じて適宜自由に設定することができる。
【００６６】
携帯電話機の位置が扉３００の近くではない場合（ステップＳ１３：ＮＯ）、制御部２１０は、タイマ２０５により外出モードにおける所定時間の計時を開始する（ステップＳ４１）。外出モードにおける所定時間としては、携帯電話機２００を所持したユーザがその扉３００まで戻るのに要する時間よりも短く設定する。例えば、扉３００に近いか否かを判断するしきい値を１ｋｍに設定した場合、もしユーザの徒歩の時速が４［ｋｍ／ｈ］であると扉３００まで１５分で到達することができるので、所定時間はその１５分よりも短い１０分と設定する。
【００６７】
外出モードの所定時間が経過すると（ステップＳ４２：ＹＥＳ）、制御部２１０は、ステップＳ１１の処理に戻る。
【００６８】
一方、例えば、ユーザが外出する場合など携帯電話機の位置が扉３００の近くの場合（ステップＳ１３：ＹＥＳ）、制御部２１０は、タイマ２０５により自宅モードにおける所定時間の計時を開始する（ステップＳ１４）。自宅モードにおける所定時間は、例えば５秒など、靴を履くなどの玄関で行う動作に要する時間よりも短く設定する。
【００６９】
自宅モードにおける所定時間の計時が開始されると、その所定時間が経過すると（ステップＳ１５：ＹＥＳ）、制御部２１０は、ステップＳ１の処理に戻る。
【００７０】
一方、所定時間が経過していない場合（ステップＳ１５：ＮＯ）、制御部２１０は、無線通信部２０１によりＢＴ信号を送信する（ステップＳ１６）。
【００７１】
ＢＴ信号を送信すると、制御部２１０は、ステータスを受信したか否かを確認する（ステップＳ１７）。
【００７２】
ステータスを受信しない場合（ステップＳ１７：ＮＯ）、制御部２１０は、ステップＳ１５の処理に戻る。
【００７３】
一方、ステータスを受信した場合（ステップＳ１７：ＹＥＳ）、制御部２１０は、そのステータスが携帯電話機２００に登録された扉３００を制御する扉制御装置１００からのものであるか否かを確認する（ステップＳ１８）。この確認は、ステータスに含まれる扉３００の識別情報と、記憶部２０９に記憶された携帯電話機２００と対応付けられた扉３００の識別情報とを比較することにより行われる。
【００７４】
ステータスが登録された扉３００の扉制御装置１００からのものではない場合（ステップＳ１８：ＮＯ）、制御部２１０は、ステップＳ１５の処理に戻る。
【００７５】
一方、ステータスが登録された扉３００の扉制御装置１００からのものである場合（ステップＳ１８：ＹＥＳ）、制御部２１０は、受信したステータスに基づいて、登録された扉３００の第２錠３０２が解錠されており、かつ、扉３００が開状態であるか否かを確認する（ステップＳ１９）。この時点で第１錠３０１は解錠されているので、ユーザが扉３００から出るには、第２錠３０２が施錠されている場合には第２錠３０２を解錠したのち、扉３００を開ける必要がある。したがって、第２錠３０２と扉３００の状態から、ユーザが扉３００から出ようとしているか否かを検出することができる。
【００７６】
第２錠３０２が解錠され、かつ、扉３００が開状態、という状態ではない場合（ステップＳ１９：ＮＯ）、制御部２１０は、ステップＳ１５の処理に戻る。この場合、ユーザがまだ扉３００から出ようとしていないので、制御部２１０は、自宅モードの所定時間が経過するまで、第２錠３０２と扉３００の状態を監視する。
【００７７】
一方、第２錠３０２が解錠され、かつ、扉３００が開状態である場合（ステップＳ１９：ＹＥＳ）、制御部２１０は、所持サインを発動する（ステップＳ２０）。この場合、ユーザが扉３００から出ようとしているので、制御部２１０は、携帯電話機２００を所持している旨を示す所持サインを出力する。この所持サインとしては、携帯電話機２００のディスプレイ２０２に所定の表示をさせる、スピーカ２０６から所定のメロディを出力させる、バイブレータ２０７を所定のパターンで振動させるなどが挙げられる。この所持サインが発動されることにより、携帯電話機２００を所持しているユーザは、扉３００が開状態であることを認識することができる。
【００７８】
所持サインを発動させると、制御部２１０は、タイマ２０５により所持サインモードにおける所定時間の計時を開始する（ステップＳ２１）。所持サインモードにおける所定時間としては、例えば１０秒など、ユーザが扉３００をくぐり、扉３００を閉め、扉３００の施錠をするといった一連の行為に要する時間程度に設定する。なお、所持サインモードの所定時間の計時を開始する際、タイマ２０５は、自宅モードの所定時間の計時を破棄する、すなわち、計時を停止してリセットする。
【００７９】
所持サインモードの所定時間の計時を開始すると、制御部２１０は、無線通信部２０１によりＢＴ信号を送信する（ステップＳ２２）。このとき、扉制御装置１００においては、最初にＢＴ信号を受信してからステップＳ９で計時を開始した第１錠所定時間が経過していないので（図３、ステップＳ２：ＮＯ）、携帯電話機２００からＢＴ信号を受信すると（図３、ステップＳ５：ＹＥＳ）、ステータスを送信することとなる（図３、ステップＳ７）。
【００８０】
したがって、ＢＴ信号を送信すると、制御部２１０は、扉制御装置１００からステータスを受信したか否かを確認する（ステップＳ２３）。
【００８１】
ステータスを受信していない場合（ステップＳ２３：ＮＯ）、制御部２１０は、後述するステップＳ２６の処理に進む。
【００８２】
一方、ステータスを受信した場合（ステップＳ２３：ＹＥＳ）、制御部２１０は、そのステータスが携帯電話機２００に登録された扉３００を制御する扉制御装置１００からのものであるか否かを確認する（ステップＳ２４）。この確認は、上述したステップＳ１８と同等の方法により行われる。
【００８３】
ステータスが登録された扉３００の扉制御装置１００からのものではない場合（ステップＳ２４：ＮＯ）、制御部２１０は、後述するステップＳ２６の処理に進む。
【００８４】
一方、ステータスが登録された扉３００の扉制御装置１００からのものである場合（ステップＳ２４：ＹＥＳ）、制御部２１０は、受信したステータスに基づいて、登録された扉３００の第２錠３０２が施錠されており、かつ、扉３００が閉状態であるか否かを確認する（ステップＳ２５）。戸締まりをして外出する場合、ユーザは、扉３００を閉めて第２錠３０２をする。したがって、第２錠３０２と扉３００の状態から、ユーザが外出したか否かを検出することができる。
【００８５】
第２錠３０２が施錠され、かつ、扉３００が閉状態である場合（ステップＳ２５：ＹＥＳ）、制御部２１０は、所持サインを停止する（ステップＳ５１）。この場合、ユーザが既に扉３００から出たので、制御部２１０は、携帯電話機２００を所持している旨を示す所持サインを停止する。
【００８６】
所持サインを停止すると、制御部２１０は、施錠管理アプリケーション２０３を起動し（ステップＳ５２）、この施錠管理アプリケーション２０３により、扉３００を施錠した日時を記録する（ステップＳ５３）。この日時は、ステータスを受信した日時であり、記憶部２０９に記録される。これにより、ユーザは、扉３００を施錠したか否かが不安な場合には、記憶部２０９の記録を読み出すことにより、扉３００を施錠したか否かを確認することができる。
【００８７】
扉３００を施錠した日時が記録されると、制御部２１０は、施錠管理アプリケーション２０３により、その日時をディスプレイ２０２に表示させ（ステップＳ５４）、ステップＳ１１の処理に戻る。これにより、ユーザは、扉３００を施錠したことを認識することができる。
【００８８】
一方、第２錠３０２が施錠され、かつ、扉３００が閉状態、という状態ではない場合（ステップＳ２５：ＮＯ）、制御部２１０は、所持サインモードの所定時間が経過したか否かを確認する（ステップＳ２６）。
【００８９】
所持サインモードの所定時間が経過していない場合（ステップＳ２６：ＮＯ）、制御部２１０は、ユーザにより所持サインの停止を要求されたか否かを確認する（ステップＳ２７）。
【００９０】
所持サインの停止が要求されていない場合（ステップＳ２７：ＮＯ）、制御部２１０は、ステップＳ２２の処理に戻る。
【００９１】
所持サインモードの所定時間が経過した場合（ステップＳ２６）または所持サインの停止が要求された場合（ステップＳ２７：ＹＥＳ）、制御部２１０は、所持サインを停止する（ステップＳ２８）。
【００９２】
所持サインを停止すると、制御部２１０は、施錠管理アプリケーション２０３を起動し（ステップＳ２９）、この施錠管理アプリケーション２０３により、扉３００の施錠がされなかった日時を記録する（ステップＳ３０）。この日時としては、所持サインが能動的に停止された場合には、その停止した日時が、所持サインモードの所定時間が経過した場合には、その所定時間が到来した日時が、それぞれ記憶部２０９に記録される。また、記憶部２０９には、その日時とともに、所持サインが能動的に停止されたのか、または、所持サインモードの所定時間が経過したのかのいずれか記憶される。これにより、ユーザは、扉３００を施錠したか否かが不安な場合には、記憶部２０９の記録を読み出すことにより、扉３００を施錠したか否かを確認することができる。
【００９３】
扉３００の施錠がされなかった日時が記録されると、制御部２１０は、施錠管理アプリケーション２０３により、その日時をディスプレイ２０２に表示させ（ステップＳ３１）、ステップＳ１１の処理に戻る。このとき、制御部２１０は、所持サインが能動的に停止された場合には、その日時と共に所持サインが能動的に停止された旨をディスプレイ２０２に表示するようにしてもよい。同様に、所持サインモードの所定時間が経過した場合には、制御部２１０は、その日時と共に所持サインモードの所定時間が経過した旨をディスプレイ２０２に表示するようにしてもよい。これにより、ユーザは、扉３００の施錠を忘れたことを認識することができる。
【００９４】
以上説明したように、本実施の携帯によれば、扉３００の近傍に配設された扉制御装置１００が携帯電話機２００からＢＴ信号を受信しないと第１錠３０１が解錠されないため、携帯電話機２００を所持し忘れて扉３００に向かっても扉３００が開かないので、携帯電話機２００の所持忘れを防止することができる。また、第１錠３０１が解錠されると携帯電話機２００において報知動作が行われるので、ユーザは扉３００の施錠状態を確認することができる。
【００９５】
また、システム構成が扉制御装置１００と携帯電話機２００という２つの構成要素から構築されるので、平日や休日を問わず、携帯電話機２００を所持していないことを、例えば玄関などの扉３００が設けられた位置で判断することができる。これにより、携帯電話機２００を所持せずに外出するのを防ぐことができる。
【００９６】
また、扉３００の第１錠３０１および第２錠の施錠状態に関する情報（ステータス）は、扉制御装置１００に記憶され、扉３００と対応付けられている携帯電話機２００にのみ送信される。この送信は、電話網等のネットワークを介さずに行われるので、そのネットワークから機密が漏洩するのを防ぐことができる。
【００９７】
また、ネットワークを利用したり、第３者にサーバ管理を委託したりしなくてもよいので、警備会社等との継続的な契約も不要であり設備の初期費用と電気代のみで利用することができるため、低コスト化を実現することができる。
【００９８】
また、第１錠３０１および第２錠３０２を電子錠としなくてよいので、停電や故障が生じても、施錠や解錠を行うことができる。
【００９９】
また、屋内にある各種機器と扉制御装置１００との間でホームネットワークを構築することも可能となる。例えば、ガスコンロやガスストーブといった火を用いる機器、エアコンやテレビと言った常時電源投入を必要としない家電機器、蛇口等の水道機器などにおいて、点火したまま、消火済み、電源の付けっぱなしとなどの各種機器の状況を検出するセンサを設け、このセンサにより検出された情報を扉制御装置１００の記憶部１０６にステータスとして記憶させる。これにより、外出直前においては、携帯電話機２００を所持したユーザが扉３００の近くに来たときに、各種機器の状況に応じて携帯電話機２００から警報を出力させることにより、ユーザの注意を喚起することができる。また、外出先においても、携帯電話機２００のディスプレイ２０２に警報を表示させることにより、ユーザの注意を喚起することができる。
【０１００】
なお、本実施の形態では、最初に携帯電話機２００から所定の信号（ＢＴ信号）を出力することにより、上述した所持忘れ防止動作や施錠忘れ防止動作が行われる場合を例に説明したが、最初に扉制御装置１００から所定の信号を出力するようにしてもよい。この場合、例えば、扉制御装置１００が所定時間間隔で所定の信号を出力するようにし、その所定の信号を携帯電話機２００が受信すると、図４のステップＳ１６の処理を行うようにすればよい。このようにしても、上述したのと同等の作用効果を実現することができる。
【産業上の利用可能性】
【０１０１】
本発明は、戸建て、マンション、研究所、オフィスビル、工場などの扉３００を有する家屋であれば適用することができる。
【符号の説明】
【０１０２】
１…扉制御装置、２…携帯端末装置、３…扉３００、１１…錠制御部、２１…携帯制御部、３１…錠、１００…扉制御装置、１０１…無線通信部、１０２…第１錠制御部、１０３…第２錠制御部、１０４…開閉検出部、１０５…タイマ、１０６…記憶部、１０７…制御部、２００…携帯電話機、２０１…無線通信部、２０２…ディスプレイ、２０３…施錠管理アプリケーション、２０４…メモリ、２０５…タイマ、２０６…スピーカ、２０７…バイブレータ、２０８…位置情報取得部、２０９…記憶部、２１０…制御部、３００…扉、３０１…第１錠、３０２…第２錠。
【図１】
0005477892.tif 000002
【図２】
0005477892.tif 000003
【図３】
0005477892.tif 000004
【図４】
0005477892.tif 000005